(57)【特許請求の範囲】
【請求項１】
第１ディスプレー部を備える本体と、
前記第１ディスプレー部と別途の画面を形成したり、同じ画面を拡張させるために前記本体に摺動可能に結合された第２ディスプレー部と、
前記本体に形成された少なくとも一つの摺動孔と、
前記摺動孔内に挿入される少なくとも１つの摺動棒とを含み、
前記少なくとも１つの摺動棒は、
前記第２ディスプレー部の側面部と離隔され、前記側面部と平行するように延長され、前記摺動孔内に挿入されて、その内部で摺動する第１部分と、
前記第１部分と直交するように延長され、前記第２ディスプレー部に付着固定される第２部分とを含むことを特徴とする携帯用ディスプレー装置。
【請求項２】
前記本体はその両側面に配置された操作部の間に前記第１ディスプレー部が配置され、前記第２ディスプレー部は前記第１ディスプレー部上で摺動可能であることを特徴とする請求項１に記載の携帯用ディスプレー装置。
【請求項３】
前記本体は前記第２ディスプレー部の上面と前記操作部の上面が実質的に同一平面になるように前記第１ディスプレー部の上面が前記操作部の上面より低く形成されることを特徴とする請求項２に記載の携帯用ディスプレー装置。
【請求項４】
前記第１ディスプレー部と操作部との間に設けられたガイドレールと、
前記ガイドレールに嵌められて摺動可能に結合されるように、前記第２ディスプレー部に設けられたガイド突起をさらに備えることを特徴とする請求項３に記載の携帯用ディスプレー装置。
【請求項５】
前記本体の中央に形成された低く形成される部分の両側壁に設けられたガイド溝と、
前記ガイド溝にマッチングされるように前記第２ディスプレー部の両側面に形成されたガイドフックをさらに備えることを特徴とする請求項３に記載の携帯用ディスプレー装置。
【請求項６】
前記第１ディスプレー部に形成された画面の上端は本体の上端と実質的に同一線上にあり、前記第２ディスプレー部に形成された画面の下端は前記第２ディスプレー部の下端と実質的に同一線上にあり、前記第２ディスプレー部が前記本体から離間される方向に伸長する時、前記第２ディスプレー部の画面の下端は前記第１ディスプレー部の画面の上端と実質的に同一線上に位置されることを特徴とする請求項１に記載の携帯用ディスプレー装置。
【請求項７】
前記第１ディスプレー部または第２ディスプレー部の中の少なくとも何れか一つはタッチパッドとして機能することを特徴とする請求項１に記載の携帯用ディスプレー装置。
【請求項８】
前記第１部分と第２部分は互いに異なる平面に位置し、
前記摺動棒は前記第１部分と第２部分とを互いに連結する第３部分をさらに含むことを特徴とする請求項１に記載の携帯用ディスプレー装置。
【請求項９】
前記摺動孔は前記操作部の下部の本体の両側面の内部にそれぞれ形成され、
前記少なくとも一つの摺動棒は、それぞれ前記第２ディスプレー部の両側面部に付着された２つの摺動棒を含むことを特徴とする請求項２に記載の携帯用ディスプレー装置。
【請求項１０】
一端は前記本体に設置され、他端は前記摺動棒の第１部分に設置されて前記本体に対する前記第２ディスプレー部の摺動の時伸長または収縮することができるアンテナをさらに備えることを特徴とする請求項１に記載の携帯用ディスプレー装置。
【請求項１１】
第１ディスプレー部を備える本体と、
前記第１ディスプレー部と別途の画面を形成したり、同じ画面を拡張させるために前記本体に摺動可能に結合された第２ディスプレー部と、
前記第１ディスプレー部の下部に位置し、前記本体に形成された摺動スロットと、
前記摺動スロット内に挿入される摺動プレートとを含み、
前記摺動プレートは、
前記第２ディスプレー部の底面に対して下方に離隔され、前記底面に対して平行に延長されて、前記摺動スロット内に挿入される第１部分と、
前記第１部分に延長されて、前記第２ディスプレー部に付着固定されるように構成された第２部分とを含むことを特徴とする携帯用ディスプレー装置。
【請求項１２】
一端は前記本体に設置され、他端は前記摺動プレートの第１部分に設置されて前記本体に対する前記第２ディスプレー部の摺動の時伸長または収縮することができるアンテナをさらに備えることを特徴とする請求項１１に記載の携帯用ディスプレー装置。
【請求項１３】
前記携帯用ディスプレー装置は、ＭＰＣ(Ｍｏｂｉｌｅ  Ｐｅｒｓｏｎａｌ  Ｃｏｍｐｕｔｅｒ)、ＭＩＤ(Ｍｏｂｉｌｅ  Ｉｎｔｅｒｎｅｔ  Ｄｅｖｉｃｅ)の何れか一つであることを特徴とする請求項１乃至７の何れか１項に記載の携帯用ディスプレー装置。
【請求項１４】
操作部が形成された本体と、
前記本体に摺動可能に結合されたディスプレー部と、
前記本体に形成された少なくとも一つの摺動孔と、
前記摺動孔内に挿入される少なくとも一つの摺動棒とを含み、
前記少なくとも一つの摺動棒は、
前記ディスプレー部の側面部と離隔され、前記側面部と平行するように延長され、前記摺動孔内に挿入されて、その内部で摺動される第１部分と、
前記第１部分と直交するように延長され、前記ディスプレー部に付着固定された第２部分とを含むことを特徴とする携帯用ディスプレー装置。
【請求項１５】
前記第１部分と第２部分は互いに異なる平面に位置し、
前記摺動棒は前記第１部分と第２部分とを互いに連結する第３部分をさらに含むことを特徴とする請求項１４に記載の携帯用ディスプレー装置。
【発明の詳細な説明】
【技術分野】
【０００１】
本発明は携帯用ディスプレー装置に関し、特に、携帯用コンピューター（Mobile Personal Computer、以下「ＭＰＣ」と言う）、携帯インターネット機器（Mobile Internet Device、以下「ＭＩＤ」と言う）などの携帯用ディスプレー装置に形成されたディスプレー部がデュアルスライド方式に構成されるようにする携帯用ディスプレー装置に関する。
【背景技術】
【０００２】
最近、通信機器の発達によって多様な構造の携帯用ディスプレー装置が提案されている。このような携帯用ディスプレー装置は、例えば、ＭＰＣ、ＭＩＤなどがある。上記携帯用ディスプレー装置は、ＭＰ３、ＤＭＢ、ＰＤＡのような各種機能を付加して使用することはもちろん、インターネット、ナビゲーション、及びＰＣ環境を具現することができる携帯用マルチメディア再生機能に至るまで多様な機能を実行することができる携帯用マルチメディア端末機である。
【０００３】
上記のような携帯用ディスプレー装置は、ウィンドウベースＰＣの全ての機能を提供するとともに多様な入力オプションを提供する小型で且つ軽量なＰＣで、どこでも携帯できるモバイルコンピューター装置である。上記携帯用ディスプレー装置は家または事務室の環境下でモバイルＰＣでない一般のＰＣと簡便に同期化することができるので、音楽、映画、写真、オフィス文書などを移動中に活用できて汎用的に用いられる。
【０００４】
しかし、ＭＰＣ、ＭＩＤなどの携帯用ディスプレー装置を使用して、ネットサーフィン、Ｅ−メールなどのインターネットやワード作業を行う際に、映像が表示されるディスプレー部の画面の大きさが小さくて利用するのに不便であるという問題点がある。即ち、上記のような機能を行うために比較的大きい画面を備えて多様な映像情報を表現することができるが、現在携帯用ディスプレー装置の製品は画面が所定の大きさに限定されており、ディスプレー部が位置する部分の周辺に各種機能ボタン（キーパッド）が備えられて画面の大きさが限定されるしかないという問題点がある。
【発明の概要】
【発明が解決しようとする課題】
【０００５】
本発明は上記のような問題点を解決するために創案されたもので、一つのディスプレー部からなるＭＰＣ、ＭＩＤなどをデュアルスライド方式に具現して二つのディスプレー部を活用するようにすることができる携帯用ディスプレー装置を提供することにその目的がある。
【０００６】
本発明のまた他の目的はスライド方式に移動されたディスプレー部の画面下端が他のディスプレー部の画面上部端部と整列されるように支持して安定的に位置させることができる携帯用ディスプレー装置を提供することにある。
【課題を解決するための手段】
【０００７】
上記目的を達するために、本発明の携帯用ディスプレー装置は、第１ディスプレー部を備える本体と、第１ディスプレー部と別途の画面を形成したり、同じ画面を拡張させるために本体に摺動可能に結合された第２ディスプレー部と、本体に形成された少なくとも一つの摺動孔と、摺動孔内に挿入される少なくとも１つの摺動棒とを含み、少なくとも１つの摺動棒は、第２ディスプレー部の側面部と離隔され、側面部と平行するように延長され、摺動孔内に挿入されて、その内部で摺動する第１部分と、第１部分と直交するように延長され、第２ディスプレー部に付着固定される第２部分とを含むことが好ましい。
【０００８】
本体はその両側面に配置された操作部の間に第１ディスプレー部が配置され、第２ディスプレー部は第１ディスプレー部上で摺動可能であることが好ましい。
【０００９】
好ましくは、本体は第２ディスプレー部の上面と操作部の上面が実質的に同一平面になるように第１ディスプレー部の上面が操作部の上面より低く形成されるように構成される。
【００１０】
また、第１ディスプレー部と操作部との間に設けられたガイドレールと、ガイドレールに嵌められて摺動可能に結合されるように、第２ディスプレー部に設けられたガイド突起をさらに備えることが好ましい。
【００１１】
同時に、本体の中央に形成された低く形成される部分の両側壁に設けられたガイド溝と、ガイド溝にマッチングされるように第２ディスプレー部の両側面に形成されたガイドフックをさらに備えることが好ましい。
【００１２】
一方、第１ディスプレー部に形成された画面の上端は本体の上端と実質的に同一線上にあり、第２ディスプレー部に形成された画面の下端は第２ディスプレー部の下端と実質的に同一線上にあり、第２ディスプレー部が本体から離間される方向に伸長する時、第２ディスプレー部の画面の下端は第１ディスプレー部の画面の上端と実質的に同一線上に位置されることが好ましい。
【００１３】
好ましくは、第１ディスプレー部または第２ディスプレー部の中の少なくとも何れか一つはタッチパッドとして機能する。
【００１４】
第１部分と第２部分は互いに異なる平面に位置し、摺動棒は第１部分と第２部分とを互いに連結する第３部分をさらに含むことが好ましい。
【００１５】
摺動孔は操作部の下部の本体の両側面の内部にそれぞれ形成され、少なくとも一つの摺動棒は、それぞれ第２ディスプレー部の両側面部に付着された２つの摺動棒を含むことが好ましい。
【００１６】
好ましくは、一端は本体に設置され、他端は摺動棒の第１部分に設置されて本体に対する第２ディスプレー部の摺動の時伸長または収縮することができるアンテナをさらに備える。
【００１７】
好ましくは、第１ディスプレー部を備える本体と、第１ディスプレー部と別途の画面を形成したり、同じ画面を拡張させるために本体に摺動可能に結合された第２ディスプレー部と、第１ディスプレー部の下部に位置し、本体に形成された摺動スロットと、摺動スロット内に挿入される摺動プレートとを含み、摺動プレートは、第２ディスプレー部の底面に対して下方に離隔され、底面に対して平行に延長されて、摺動スロット内に挿入される第１部分と、第１部分に延長されて、第２ディスプレー部に付着固定されるように構成された第２部分とを含む。
【００１８】
一端は本体に設置され、他端は摺動プレートの第１部分に設置されて本体に対する第２ディスプレー部の摺動の時伸長または収縮することができるアンテナをさらに備えることが好ましい。
【００１９】
携帯用ディスプレー装置は、ＭＰＣ(Mobile Personal Computer)、ＭＩＤ(Mobile Internet Device)の何れか一つであることが好ましい。
【００２０】
本発明によるまた他の携帯用ディスプレー装置は、操作部が形成された本体と、本体に摺動可能に結合されたディスプレー部と、本体に形成された少なくとも一つの摺動孔と、摺動孔内に挿入される少なくとも一つの摺動棒とを含み、少なくとも一つの摺動棒は、ディスプレー部の側面部と離隔され、側面部と平行するように延長され、摺動孔内に挿入されて、その内部で摺動される第１部分と、第１部分と直交するように延長され、ディスプレー部に付着固定された第２部分とを含むことが好ましい。
【００２１】
好ましくは、第１部分と第２部分は互いに異なる平面に位置し、摺動棒は第１部分と第２部分とを互いに連結する第３部分をさらに含む。
【発明の効果】
【００２２】
本発明による携帯用ディスプレー装置は下記のような効果を奏する。
【００２３】
第一に、ＭＰＣ、ＭＩＤなどをデュアルスライド方式に具現して二つのディスプレー部を活用するようにすることができ、選択的に二つのディスプレー部を一つの画面または分割した画面で見るようにすることによって従来に比べて大きい画面で映像を識別して使用が容易である。
【００２４】
第二に、摺動された第２ディスプレー部の画面下端が固定された第１ディスプレー部の画面上側の端部に安定的に位置するように支持して画面の活用度を最大化することができる。
【００２５】
第三に、第２ディスプレー部を摺動させるための摺動部材を利用して摺動方式の従来の製品である携帯電話以外にＰＭＰ、ＰＳＰ、ＤＭＢなどに活用することができる。
【００２６】
第四に、一つのディスプレー部からなる従来の携帯電話に摺動部材を採用することによって携帯電話を操作する操作部と映像を表示するディスプレー部の空間活用を最大化することによって携帯電話の大きさを減少させることができる。また、携帯電話以外にＰＭＰ、ＰＳＰ、ＤＭＢなどに活用して製品の大きさを減少させることができる。
【図面の簡単な説明】
【００２７】
本明細書に添付される以下の図面は本発明の好ましい実施形態を例示するものであり、後述する発明の詳細な説明とともに本発明の技術思想をさらに理解させる役目を果たすものであるので、本発明はその図面に記載された事項のみに限定されて解釈されてはならない。
【図１】本発明の好ましい第１実施形態による携帯用ディスプレー装置を示す斜視図である。
【図２】図１の携帯用ディスプレー装置が動作される状態を示す側面図である。
【図３】図１の携帯用ディスプレー装置に用いられる摺動部材を示す平断面図である。
【図４】図１の携帯用ディスプレー装置に用いられる摺動部材を示す側断面図である。
【図５】本発明の好ましい第２実施形態による携帯用ディスプレー装置を示す底面図である。
【図６】図５の携帯用ディスプレー装置を示す側面図である。
【図７】図５の携帯用ディスプレー装置に用いられる摺動部材を示す平断面図である。
【図８】本発明の好ましい第３実施形態による携帯用ディスプレー装置の摺動部材にアンテナが設置された状態を示す平断面図である。
【図９】本発明の好ましい第４実施形態による携帯用ディスプレー装置を示す斜視図である。
【図１０】図９の携帯用ディスプレー装置を示す側面図である。
【図１１】図９の携帯用ディスプレー装置を示す正面図である。
【図１２】本発明の好ましい第５実施形態による携帯用ディスプレー装置を示す平面図である。
【図１３】図１２の携帯用ディスプレー装置を示す正面図である。
【図１４】本発明の携帯用ディスプレー装置構造の使用例を示す図面である。
【図１５】本発明の好ましい第６実施形態による携帯用ディスプレー装置を示す図面である。
【発明を実施するための形態】
【００２８】
以下、添付された図面を参照して本発明の好ましい実施形態を詳しく説明する。これに先立って、本明細書及び請求の範囲に用いられた用語や単語は通常的で、辞書的な意味に限定して解釈されてはならず、発明者は自分の発明を最善の方法で説明するために用語の概念を適切に定義することができるという原則に即して本発明の技術思想に適合する意味と概念に解釈すべきである。従って、本明細書に記載された実施形態と図面に示された構成は本発明の最も好ましい一実施形態に過ぎないで、本発明の技術思想を全て代弁するものではないので、本出願とき点においてこれらを代替できる多様な均等物と変形例があり得ることを理解すべきである。
【００２９】
図１は本発明の好ましい第１実施形態による携帯用ディスプレー装置を示す斜視図であり、図２は図１の携帯用ディスプレー装置が動作される状態を示す側面図であり、図３は図１の携帯用ディスプレー装置に用いられる摺動部材を示す平断面図であり、図４は図１の携帯用ディスプレー装置に用いられる摺動部材を示す側断面図である。
【００３０】
図１〜図４によれば、携帯用ディスプレー装置１００は、第１ディスプレー部１１１を備える本体１１０と、本体１１０に摺動可能に結合された第２ディスプレー部１２１と、本体１１０に対する第２ディスプレー部１２１の摺動のために本体１１０と第２ディスプレー部１２１との間に構成された摺動部材１３０とを備える。
【００３１】
一方、携帯用ディスプレー装置１００は、ＭＰＣ、ＭＩＤの中の何れか一つであれば好ましいが、以下では説明の便宜のために携帯用ディスプレー装置１００がＭＰＣであることを例にして説明する。
【００３２】
本体１１０はその両側面に操作部１１３が配置され、操作部１１３の間に第１ディスプレー部１１１が形成される。第１ディスプレー部１１１は映像を表示する装置である。操作部１１３はデータを入出力したり、機器を操作することができる装置である。このような第１ディスプレー部１１１及び操作部１１３は公知のディスプレー及びキーパッドまたはキーボードと同じ機能をするように構成される。即ち、本体１１０は通常のＭＰＣ構成要素が実装されたもので、ＭＰＣは公知の技術であるので詳細な説明は省略する。
【００３３】
一方、第１ディスプレー部１１１に形成された画面（以下「第１画面１１２」と言う）は、本体１１０の上側端部と接するように形成される。これは後述する第２ディスプレー部１２１に形成された画面（以下「第２画面１２２」と言う）の下端が第１画面１１２の上端に整列されるように位置させるためである。このような第１画面１１２または第２画面１２２の中の少なくとも何れか一つはタッチパッドとして機能するように構成することができる。
【００３４】
第２ディスプレー部１２１は本体１１０の上面で摺動可能に設置される（図２の（ａ）参照）。好ましくは、第２ディスプレー部１２１は第１ディスプレー部１１１上で摺動可能に設置される。第２ディスプレー部１２１は、従来の携帯電話のスライド方式と同じ方式が採択されることができる。第２ディスプレー部１２１の上面には第２画面１２２が形成される。第２画面１２２は、第２ディスプレー部１２１の下側端部と接するように形成される。これは、前述するように、第２ディスプレー部１２１が摺動されて第２画面１２２の下端が第１画面１１２の上端に整列されるように位置させるためである（図２の（ｂ）参照）。従って、第１画面１１２と第２画面１２２を通じて一つの映像を表示するように使用することができる。また、選択的に第１画面１１２と第２画面１２２に映像を分割して表出するように使用することができる。即ち、第２ディスプレー部１２１は第１ディスプレー部１１１と別途の画面を形成したり、同一の画面を拡張させることができるように構成される。
【００３５】
さらに、第１ディスプレー部１１１及び第２ディスプレー部１２１は本体１１０から制御され、摺動される第２ディスプレー部１２１はフレキシブルフラットケーブル（図示省略、Flexible Flat Cable、以下「ＦＦＣ」と言う）と連結されて電源及びデータなどが供給される。ＦＦＣは第２ディスプレー部１２１の摺動とともに移動され、後述する摺動棒１３４に設置されて連結されたり、外部に露出されるように直接連結されることができる。
【００３６】
一方、図１及び図２に示すように、携帯用ディスプレー装置１００は第２ディスプレー部１２１に形成された第２画面１２２の下端が第１画面１１２の上端に位置されることによって、第２ディスプレー部１２１を支持して摺動させる摺動部材１３０を備える。
【００３７】
摺動部材１３０は第２ディスプレー部１２１が摺動のとき本体１１０から離脱されないようにし、外部衝撃によって折れないように支持する役割を果たす。このような摺動部材１３０は本体１１０に形成された少なくとも一つの摺動孔１３２と、一端は摺動孔１３２の中に挿入されて位置し、他端は第２ディスプレー部１２１に付着された少なくとも一つの摺動棒１３４とを備える。
【００３８】
摺動孔１３２は操作部１１３が形成された本体１１０の両側面の内部にそれぞれ形成される。このとき、摺動孔１３２は摺動棒１３４が挿入されて本体１１０の上側から抜け出るように構成される。このような摺動孔１３２の前方と後方には固定突起１３１が設けられる。ここで、前方は摺動棒１３４が本体１１０から抜け出る方向であり、後方は摺動棒１３４が本体１１０に挿入される方向を言う。
【００３９】
固定突起１３１は摺動される摺動棒１３４の一側を固定させるために設けられる。
【００４０】
摺動棒１３４はその他端が第２ディスプレー部１２１と連結され、その一側が固定突起１３１に装着されるように構成される。より具体的に、摺動棒１３４は剛性の材質で形成され、他端が第２ディスプレー部１２１の側面に設置される。摺動棒１３４は第２ディスプレー部１２１が本体１１０より高い位置に設けられることによってその他側が曲げられて形成される。
【００４１】
一方、本明細書では、摺動棒１３４が第２ディスプレー部１２１の側面に設置されることに示して説明したが、これに限定されないで、第２ディスプレー部１２１の前方側に設置されることができる。このとき、摺動棒１３４は第２ディスプレー部１２１の下面に設置されることは好ましくない。これは、摺動棒１３４が本体１１０に挿入されるとき本体１１０の中央上面に形成された第１ディスプレー部１１１に干渉されるためである。
【００４２】
摺動棒１３４は、その一端が摺動孔１３２から抜け出られないように所定の長さを有するように形成される。また、摺動棒１３４の一側は固定突起１３１に係止されて所定の圧力によって抜け出るように形成される。図面に示すように、摺動棒１３４の一側には摺動棒１３４の移動が容易になるように、移動補助手段であるローラー１３３が設けられる。これによって、ローラー１３３が摺動孔１３２に沿って移動して、一対の固定突起１３１の間に係止される。ここで、摺動棒１３４が所定の位置からそれ以上移動できないように摺動孔１３２の前方と後方に形成された固定突起１３１の中の外側に形成された固定突起１３１が所定の高さを有するように形成される。
【００４３】
一方、本明細書では、摺動棒１３４の一側に別途のローラー１３３を備えて移動を容易にし、固定突起１３１に装着されることを示して説明したが、これに限定されないで、摺動棒１３４が摺動孔１３２を抜け出ないようにしたり、予め決まった区間の固定突起１３１に装着されることができれば、どのような構造に形成されても採用可能である。
【００４４】
さらに、摺動孔１３２に異物などが流入されないように、別途のカバー（図示省略）を設置することができる。
【００４５】
図５は本発明の好ましい第２実施形態による携帯用ディスプレー装置を示す底面図であり、図６は図５の携帯用ディスプレー装置を示す側面図であり、図７は図５の携帯用ディスプレー装置に用いられる摺動部材を示す平断面図である。
【００４６】
図５〜図７によれば、携帯用ディスプレー装置２００は、第１ディスプレー部１１１を備える本体１１０と、本体１１０に摺動可能に結合された第２ディスプレー部１２１と、本体１１０に対する第２ディスプレー部１２１の摺動のために本体１１０と第２ディスプレー部１２１との間に構成された摺動部材２３０を備える。このとき、本発明の第２実施形態による携帯用ディスプレー装置２００の本体１１０及び第２ディスプレー部１２１は前述した第１実施形態の本体１１０及び第２ディスプレー部１２１と同じ構成要素を示す。即ち、携帯用ディスプレー装置２００は、図１〜図４で示された携帯用ディスプレー装置１００と実質的に同じ機能をし、ただ摺動部材２３０が設置された構造において第１実施形態と異なる。
【００４７】
本発明の第２実施形態によれば、摺動部材２３０は本体１１０の内部に形成された摺動スロット２３２及び一端は摺動スロット２３２の中に挿入されて位置され、他端は第２ディスプレー部１２１に付着された少なくとも一つの摺動プレート２３４を備える。
【００４８】
摺動スロット２３２は第１ディスプレー部１１１の下部に位置された本体の内側に所定幅を有するように形成される。摺動スロット２３２は摺動プレート２３４が挿入されて本体１１０の前方に抜け出るように形成されることによって、第１画面１１２の下に形成されるように構成される。このような摺動スロット２３２の両側に前方と後方に固定突起２３１がそれぞれ設けられる。ここで、前方は摺動プレート２３４が本体１１０から抜け出る方向であり、後方は摺動プレート２３４が本体１１０に挿入される方向を言う。
【００４９】
固定突起２３１は摺動される摺動プレート２３４の一側を固定させるために設けられる。
【００５０】
摺動プレート２３４は摺動スロット２３２と対応されるように所定広さを有するように形成され、その他端が第２ディスプレー部１２１と連結され、その一側が固定突起２３１に装着されるように形成される。より具体的に、摺動プレート２３４は剛性の材質で形成され、他端が第２ディスプレー部１２１の前方側に設置される。摺動プレート２３４は第２ディスプレー部１２１が本体１１０より高い位置に設けられることによって、その他側が曲げられるように形成される。このとき、摺動プレート２３４の他側が第２ディスプレー部１２１の前方側に設置されるにことによって第２ディスプレー部１２１が折り畳まれる方向に移動されても第１ディスプレー部１１１を干渉しない。
【００５１】
摺動プレート２３４の一側の両側には移動補助手段であるローラー２３３が設置されて固定突起２３１に装着される。ローラー２３３は前述した第１実施形態のローラー１３３と同じものであるので説明を省略する。
【００５２】
一方、摺動スロット２３２を所定幅有するように形成し、摺動スロット２３２に挿入される摺動プレート２３４を摺動スロット２３２に対応される広さを有するように形成したが、第１実施形態の摺動部材１３０と同じく一対の摺動孔またはその以上の摺動孔を形成して摺動棒を設置して用いることもできる。
【００５３】
図８は本発明の好ましい第３実施形態による携帯用ディスプレー装置の摺動部材にアンテナが設置された状態を示す平断面図である。図示したように、第３実施形態による携帯用ディスプレー装置は第１実施形態の携帯用ディスプレー装置１００と同じ構成要素で形成される。即ち、摺動部材１３０の摺動棒１３４の内側にアンテナ３４０がさらに設置されたことに差異がある。これに、摺動部材１３０に設置されたアンテナ３４０が作動する状態について説明する。
【００５４】
まず、図８ａはアンテナ３４０が摺動棒１３４の内側に位置されて折り畳まれた状態を示す。アンテナ３４０は直径が異なる複数の円筒３４２に形成されて伸縮可能な構造からなる。このようなアンテナ３４０の構造は公知のものであるので、詳細な説明は省略する。
【００５５】
アンテナ３４０の一端は本体１１０に設置され、他端は摺動棒１３４に設置される。より具体的に、アンテナ３４０の他側、即ち複数の円筒３４２に形成された円筒３４２の中の最上層に位置された円筒は摺動棒１３４の内側に固定される。このとき、摺動棒１３４は長手方向に内部が貫通されるように形成される。アンテナ３４０の一側、即ち複数の円筒３４２の中の最下層に位置された円筒は本体１１０の内部に固定される。好ましくは、アンテナ３４０の一端は摺動棒１３４が挿入される摺動孔１３２の下面に固定される。
【００５６】
次に、摺動棒１３４が設置された第２ディスプレー部（図示省略）が摺動のとき摺動棒１３４に設置されたアンテナ３４０の他端がともに移動する（図８ｂ参照）。
【００５７】
続いて、第２ディスプレー部が摺動される地点まで移動されると、アンテナ３４０が伸長されて全体的に広げられるように転換される（図８ｃ参照）。即ち、アンテナ３４０の一端が摺動孔１３２の下面に固定されることによってアンテナ３４０の他端が摺動棒１３４の移動によって伸縮される。
【００５８】
アンテナ３４０は携帯用ディスプレー装置の特徴であるインターネットやＤＭＢなどのために通信が容易になるように設けられたもので、本体１１０の内部に内装型に設けられることができる。一方、アンテナ３４０はその他端が摺動棒１３４に設置されることによって第２ディスプレー部を支持する摺動棒１３４の支持力を向上させる役割を果たすことができる。
【００５９】
一方、アンテナ３４０が第１実施形態による携帯用ディスプレー装置１００と同じ構造で形成される摺動部材１３０の摺動棒１３４の内側に設置されたことに示して説明したが、これに限定されないで、第２実施形態による携帯用ディスプレー装置２００の摺動プレート２３４に設置されることができることは自明である。
【００６０】
一方、本明細書でスライド部材が手動に動作されることに示して説明されたが、スライド部材の摺動棒１３４または摺動プレート２３４は油圧式方式を利用したシリンダーによって動作されることができる。図示してないが、図８に示されたアンテナの代わりに油圧式シリンダーが設置されることができ、油圧式シリンダーによって摺動棒または摺動プレートが移動されるように構成するにおいて、この技術に属した当業者であれば十分に理解できる技術であるので詳細な説明は省略する。
【００６１】
図９は本発明の好ましい第４実施形態による携帯用ディスプレー装置を示す斜視図であり、図１０は図９の携帯用ディスプレー装置を示す側面図であり、図１１は図９の携帯用ディスプレー装置を示す正面図である。
【００６２】
図９〜図１１によれば、携帯用ディスプレー装置４００は第１ディスプレー部４１１が形成された中央上面が陥没（低く形成）されて側壁が形成されてその両側で操作キー４１３が設けられて本体４１０、本体４１０の側壁の間に摺動可能に設置された第２ディスプレー部４２１、及び第２ディスプレー部４２１が摺動のとき本体４１０から離脱されないように支持する摺動部材４３０を備える。このとき、本発明の第４実施形態による携帯用ディスプレー装置４００の本体４１０、第２ディスプレー部４２１及び摺動部材４３０は前述の図１〜図４の第１実施形態の本体１１０、第２ディスプレー部１２１及び摺動部材１３０と実質的に同じ機能をする。
【００６３】
本発明の第４実施形態によれば、本体４１０は中央が陥没（低く形成）されて本体４１０の両側が突出された形状に形成される。本体４１０の中央が陥没（低く形成）されることによって、形成された側壁にはガイド溝４１４が形成される。ガイド溝４１４は第２ディスプレー部４２１が容易に摺動されるようにガイドする役割を果たす。
【００６４】
第２ディスプレー部４２１は側壁の間に位置され、第２ディスプレー部４２１の両側面にはガイド溝４１４とマッチングされるようにガイドフック４２４が形成される。ガイドフック４２４はガイド溝４１４に嵌められて第２ディスプレー部４２１がガイド溝４１４に沿って容易に摺動される。
【００６５】
一方、第２ディスプレー部４２１が側壁に設置されることによって第２ディスプレー部４２１の底面と第１ディスプレー部４１１が形成された本体４１０の中央上面が所定の間隔だけ離間されるように固定される。即ち、外部の衝撃によって第２ディスプレー部４２１が第１ディスプレー部４１１に当接して第１ディスプレー部４１１が破損されることを防止することができる。
【００６６】
摺動部材４３０は本体４１０の内部に形成された摺動孔４３２及びその一端が摺動孔４３２の中に挿入されて位置され、他端が第２ディスプレー部４２１に付着された摺動棒４３４を備える。摺動部材４３０は前述した第１実施形態の摺動部材１３０と同じ構造に形成される。ただ、操作部４１３が形成された本体４１０の両側上面が第２ディスプレー部４２１の上面と相応する高さを有するように形成されることによって摺動棒４３４を第２ディスプレー部４２１に容易に連結することができる。
【００６７】
一方、図示しないが、摺動孔４３２が第１ディスプレー部４１１の下部に形成された本体に形成されて、摺動棒４３４が第２ディスプレー部４２１の前方側に設置されるように構成されることができる。また、携帯用ディスプレー装置４００は第２実施形態で説明された摺動部材２３０と同じ構造に形成された摺動部材を採用した構造から形成されることができる。
【００６８】
図１２は本発明の好ましい第５実施形態による携帯用ディスプレー装置を示す平面図であり、図１３は図１２の携帯用ディスプレー装置を示す正面図である。
【００６９】
図１２及び図１３によれば、携帯用ディスプレー装置５００は第１ディスプレー部５１１が形成され、中央上面が陥没（低く形成）されて側壁が形成され、その両側に操作部５１３が設けられた本体５１０、本体５１０の側壁の間に摺動可能に設置された第２ディスプレー部５２１、及び第２ディスプレー部５２１が摺動のとき本体５１０から離脱されないように支持する摺動部材４３０を備える。このとき、本発明の第５実施形態による携帯用ディスプレー装置５００の摺動部材４３０は前述した第４実施形態の摺動部材４３０と同じ構成要素を示す。即ち、携帯用ディスプレー装置５００は図９〜図１１で示された携帯用ディスプレー装置４００と実質的に同じ機能を有し、ただ本体５１０と第２ディスプレー部５２１が結合される構造において第４実施形態と異なる。
【００７０】
本発明の第５実施形態によれば、本体５１０は中央が陥没（低く形成）されて本体５１０の両側が突出された形状に形成される。本体５１０に形成された第１ディスプレー部５１１の両側、即ち、第１ディスプレー部５１１と操作キー５１３との間にガイドレール５１４が形成される。ガイドレール５１４は第２ディスプレー部５２１が容易に摺動されるようにガイドする役割を果たす。
【００７１】
第２ディスプレー部５２１は側壁の間に位置され、第２ディスプレー部５２１の下面にはガイドレール５１４に嵌められて摺動可能に結合されるガイド突起５２４が形成される。従って、第２ディスプレー部５２１がガイドレール５１４に沿って容易に摺動される。
【００７２】
一方、第２ディスプレー部５２１はガイドレール５１４と結合のとき、第２ディスプレー部５２１の下面は第１ディスプレー部５１１が形成された本体５１０の中央上面と所定間隔だけ離間されるように設置される。これは、外部の衝撃によって第２ディスプレー部５２１が第１ディスプレー部５１１にぶつかって第１ディスプレー部５１１が破損されることを防止するためである。
【００７３】
前述された実施形態の携帯用ディスプレー装置は、ディスプレー部を最大限に活用するために第２画面の下端が第１画面の上端に安定的に位置するように支持し、第２ディスプレー部が摺動される構造に形成されることに特徴がある。上記のような構造の携帯用ディスプレー装置は、ＭＰＣ、ＭＩＤの中の何れか一つであることについて説明したが、図１４に示すように、本発明の摺動部材を採用してスライド携帯電話に使用することができることは勿論、ＰＭＰ、ＤＭＢ、ＰＳＰなど多様な携帯用ディスプレー装置に採用して使用することができる。
【００７４】
また、図１４に示された携帯電話は二つのディスプレー部が形成されたもので、従来のスライド携帯電話の構造と同一になるように一つのディスプレー部が形成された携帯電話に摺動部材を採用して用いることができる。より具体的に、図１５を参照して説明する。
【００７５】
図１５は本発明の好ましい第６実施形態による携帯用ディスプレー装置を示す図面である。
【００７６】
図面によれば、携帯用ディスプレー装置６００は操作部６１３が形成された本体６１０、本体６１０に摺動可能に結合されたディスプレー部６２１、及び本体６１０に対するディスプレー部６２１の摺動のために本体６１０とディスプレー部６２１との間に構成された摺動部材６３０を備える。このとき、携帯用ディスプレー装置６００の摺動部材６３０は前述した第１実施形態または第２実施形態の摺動部材と同じ機能及び同じ構造に形成される。ただ、一つのディスプレー部６２１からなる携帯電話に摺動部材６３０を適用して使用するにおいて第１実施形態と異なる。
【００７７】
携帯用ディスプレー装置６００は携帯電話であり、摺動部材６３０を利用してディスプレー部６２１の下端が本体６１０の上端と実質的に同一線上に位置されるように構成するにことにその特徴がある。
【００７８】
従って、上記のような構造からなる携帯用ディスプレー装置６００、即ち携帯電話６００は従来のスライド携帯電話の構造と異なってディスプレー部が本体の上端に位置されることによって携帯電話の大きさを縮小することができるという効果を奏する。
【００７９】
一方、本発明の第１実施形態ないし第５実施形態における携帯用ディスプレー装置は二つのディスプレー部が設けられたことについて説明したが、本体に形成された第１ディスプレー部の代わりに別途の操作部が配置されて使用されることができる。
【００８０】
一方、図１〜図１５に示された携帯用ディスプレー装置は、各構成要素を明確に表現するために少々誇張された厚さを有するように示されたものと理解すべきである。
以上のように、本発明は限定された実施形態と図面によって説明されたが、本発明はこれによって限定されないで、本発明が属する技術分野において通常の知識を有する者によって本発明の技術思想及び以下に記載される特許請求の範囲の均等な範囲内で多様な修正及び変形が可能であることは勿論である。
【符号の説明】
【００８１】
１００、２００、４００、５００、６００・・・携帯用ディスプレー装置
１１０、４１０、５１０、６１０・・・本体
１１１、４１１、５１１・・・第１ディスプレー部
１２１、４２１、５２１・・・第２ディスプレー部
１３０、２３０、４３０、６３０・・・摺動部材
３４０・・・アンテナ
【図１】
0005519666.tif 000002
【図２】
0005519666.tif 000003
【図３】
0005519666.tif 000004
【図４】
0005519666.tif 000005
【図５】
0005519666.tif 000006
【図６】
0005519666.tif 000007
【図７】
0005519666.tif 000008
【図８】
0005519666.tif 000009
【図９】
0005519666.tif 000010
【図１０】
0005519666.tif 000011
【図１１】
0005519666.tif 000012
【図１２】
0005519666.tif 000013
【図１３】
0005519666.tif 000014
【図１４】
0005519666.tif 000015
【図１５】
0005519666.tif 000016